(57)【特許請求の範囲】
【請求項１】
遊技状態に応じて駆動可能な駆動装置を備えた遊技機において、
前記駆動装置は、
ベース部材と、前記ベース部材上の第一の位置と第二の位置との間を駆動可能な駆動部と、一端が前記駆動部に接続され他端が前記ベース部材に固定された基板に接続された演出接続部材と、を有し、
前記演出接続部材は、前記駆動部が前記第一の位置から前記第二の位置まで移動可能となるようにその両端の間の部位が特定の箇所に固定されておらず、前記駆動部が前記第一の位置に位置するときは撓み、前記駆動部が前記第一の位置から前記第二の位置に移動することによって撓みが減るように構成される一方、前記第二の位置から前記第一の位置に移動することによってその減った撓みが増えるように構成され、
前記駆動部が前記第一の位置と前記第二の位置の間を移動した際の前記演出接続部材の移動軌跡上に位置する突出部を有する遊技部材が設けられ、
前記遊技部材には、前記駆動部が前記第一の位置と前記第二の位置の間を移動した際、前記演出接続部材の両端の間の部位が前記突出部に当接しないように前記演出接続部材の両端の間の部位の移動位置を規制する移動規制部が設けられ、
遊技球が打ち込まれる遊技領域が表面に形成された遊技盤と、前記遊技盤に設けられた前記遊技球が入球可能な複数の入球口と、を備え、
前記遊技部材の前記突出部は、前記入球口に入球した遊技球を遊技機外部に誘導する遊技球経路により構成され、
前記遊技部材には、前記複数の入球口に対応した複数の遊技球経路が形成されるとともに、前記複数の遊技球経路が前記遊技盤に対して前記駆動部の移動方向に間隔を開けて設けられることで空間部が形成され、
前記移動規制部は、前記駆動部が前記第一の位置と前記第二の位置との間を移動した際、前記演出接続部材が前記空間部に進入し、前記遊技球経路に当接しないように前記遊技球経路の少なくとも一部が前記空間部に張り出すように構成されていることを特徴とする遊技機。
【請求項２】
前記移動規制部は、前記複数の遊技球経路の裏面を前記空間部を介して一連に繋げて平面状に構成されていることを特徴とする請求項１に記載の遊技機。
【請求項３】
前記演出接続部材の一端が接続された前記基板は、前記突出部の裏面側で固定され、
前記駆動部に接続された前記演出接続部材の他端は、前記駆動部が前記第一の位置に位置しているときは前記突出部の上端と略同一あるいは前記突出部の上端よりも低い位置に位置する一方、前記駆動部が第二の位置に位置しているときは前記突出部の上端よりも高い位置に位置するように構成したことを特徴とする請求項１または請求項２に記載の遊技機。
【請求項４】
前記基板は、前記第二の位置に位置している前記駆動部よりも前記第一の位置に位置している前記駆動部の近くに設けられていることを特徴とする請求項１から請求項３のいずれか一項に記載の遊技機。
【請求項５】
前記駆動装置は、前記遊技部材と対向する位置に設けられていることを特徴とする請求項１から請求項４のいずれか一項に記載の遊技機。
【請求項６】
前記遊技部材は、前記遊技盤と前記駆動装置との間に位置することを特徴とする請求項１から請求項５のいずれか一項に記載の遊技機。
【発明の詳細な説明】
【技術分野】
【０００１】
本発明は、所定の動作を行う駆動部（役物）を備えたパチンコ遊技機などの遊技機に関する。
【背景技術】
【０００２】
下記特許文献１には、遊技盤に設けられた表示装置の周辺に駆動装置（役物装置）を配設し、表示装置の表示態様（映像）に関連付けて駆動部（役物）を動作させることによって趣向性を高めた遊技機が記載されている。
【先行技術文献】
【特許文献】
【０００３】
【特許文献１】特開２００７−２０２６３９号公報
【発明の概要】
【発明が解決しようとする課題】
【０００４】
多くの遊技機では遊技盤の背面側に遊技部材が設けられる。遊技部材の例としては、遊技盤に形成された入賞口に入賞した遊技球を誘導する遊技球経路（遊技球誘導樋）を有するものが挙げられる。このように遊技盤の裏面側に遊技部材を設けると、遊技盤の裏面にはその遊技部材の存在によって角部あるいは壁部等の突出部が形成される場合がある。その様な場合、上述したような駆動部が所定の動作を行う際、駆動部に接続された配線などが当該突出部に引っ掛かり、配線が断線してしまうなどの不具合が発生するおそれがあった。
【０００５】
そこで、本発明は、駆動部に接続された配線の断線などが防止される遊技機を提供することにある。
【課題を解決するための手段】
【０００６】
上記課題を解決するためになされた請求項１の発明にかかる遊技機は、遊技状態に応じて駆動可能な駆動装置を備えた遊技機において、前記駆動装置は、ベース部材と、前記ベース部材上の第一の位置と第二の位置との間を駆動可能な駆動部と、一端が前記駆動部に接続され他端が前記ベース部材に固定された基板に接続された演出接続部材と、を有し、前記演出接続部材は、前記駆動部が前記第一の位置から前記第二の位置まで移動可能となるようにその両端の間の部位が特定の箇所に固定されておらず、前記駆動部が前記第一の位置に位置するときは撓み、前記駆動部が前記第一の位置から前記第二の位置に移動することによって撓みが減るように構成される一方、前記第二の位置から前記第一の位置に移動することによってその減った撓みが増えるように構成され、前記駆動部が前記第一の位置と前記第二の位置の間を移動した際の前記演出接続部材の移動軌跡上に位置する突出部を有する遊技部材が設けられ、前記遊技部材には、前記駆動部が前記第一の位置と前記第二の位置の間を移動した際、前記演出接続部材の両端の間の部位が前記突出部に当接しないように前記演出接続部材の両端の間の部位の移動位置を規制する移動規制部が設けられ、遊技球が打ち込まれる遊技領域が表面に形成された遊技盤と、前記遊技盤に設けられた前記遊技球が入球可能な複数の入球口と、を備え、前記遊技部材の前記突出部は、前記入球口に入球した遊技球を遊技機外部に誘導する遊技球経路により構成され、前記遊技部材には、前記複数の入球口に対応した複数の遊技球経路が形成されるとともに、前記複数の遊技球経路が前記遊技盤に対して前記駆動部の移動方向に間隔を開けて設けられることで空間部が形成され、前記移動規制部は、前記駆動部が前記第一の位置と前記第二の位置との間を移動した際、前記演出接続部材が前記空間部に進入し、前記遊技球経路に当接しないように前記遊技球経路の少なくとも一部が前記空間部に張り出すように構成されていることを特徴とする。
【０００９】
請求項２に記載の発明は、請求項１に記載の遊技機において、前記移動規制部は、前記複数の遊技球経路の裏面を前記空間部を介して一連に繋げて平面状に構成されているところに特徴を有する。
【００１０】
請求項３に記載の発明は、請求項１または請求項２に記載の遊技機において、前記演出接続部材の一端が接続された前記基板は、前記突出部の裏面側で固定され、前記駆動部に接続された前記演出接続部材の他端は、前記駆動部が前記第一の位置に位置しているときは前記突出部の上端と略同一あるいは前記突出部の上端よりも低い位置に位置する一方、前記駆動部が第二の位置に位置しているときは前記突出部の上端よりも高い位置に位置するように構成したところに特徴を有する。
【００１１】
請求項４に記載の発明は、請求項１から請求項３のいずれか一項に記載の遊技機において、前記基板は、前記第二の位置に位置している前記駆動部よりも前記第一の位置に位置している前記駆動部の近くに設けられているところに特徴を有する。
【００１２】
請求項５に記載の発明は、請求項１から請求項４のいずれか一項に記載の遊技機において、前記駆動装置は、前記遊技部材と対向する位置に設けられているところに特徴を有する。
【００１３】
請求項６に記載の発明は、請求項１から請求項５のいずれか一項に記載の遊技機において、前記遊技部材は、前記遊技盤と前記駆動装置との間に位置するところに特徴を有する。
【発明の効果】
【００１４】
請求項１に記載の発明によれば、駆動部に接続された演出接続部材の移動位置を上記のように規制する移動規制部が遊技部材に設けられているから、駆動部が第一の位置と第二の位置の間を移動する際に、演出接続部材が遊技部材の突出部に当接すること（演出接続部材が突出部に引っ掛かってしまうこと）による演出接続部材の断線などを防止することが可能となる。
【００１６】
また、遊技球経路同士の間の空間部が、遊技球経路の一部が張り出して構成される移動規制部によって埋められた状態となるから、演出接続部材が空間部に入り込むことによって遊技球経路に引っ掛かってしまうことなどを防止することが可能となる。
【００１７】
請求項２に記載の発明のように、複数の遊技球経路の裏面を一連に繋げて平面状に構成したものを移動規制部とすれば、簡易な構造で遊技球経路同士の間の空間部を埋めることが可能となる。
【００１８】
限られたスペースの中で駆動部の大きな駆動範囲を確保するため、請求項３に記載の発明のように、駆動部が第一の位置に位置しているときに演出接続部材の他端を突出部の上端と略同一あるいは突出部の上端よりも低い位置に位置させ、駆動部が第二の位置に位置しているときに演出接続部材の他端を突出部の上端よりも高い位置に位置させるように設定されることがある。このような場合、第二の位置から第一の位置に移動する際、演出接続部材は突出部の上端よりも高い位置から低い位置に移動するため、突出部に引っ掛かってしまうおそれが高いところ、上記のような移動規制部が設けられていれば、演出接続部材が突出部に引っ掛かってしまうことを確実に防止することが可能となる。
【００１９】
請求項４に記載の発明によれば、基板が第二の位置に位置している駆動部よりも第一の位置に位置している駆動部の近くに設けられるから、駆動部が第一の位置に位置するときに演出接続部材が相対的に大きく撓む構成となり、駆動部が第二の位置に位置するときにおける演出接続部材の撓みを減らすことが可能となる。
【００２０】
請求項５に記載の発明によれば、遊技部材と対向する位置に駆動装置が設けられることで遊技部材の突出部に演出接続部材が引っ掛かってしまうおそれが高いところ、上記のような移動規制部が設けられていれば、演出接続部材が突出部に引っ掛かってしまうことを確実に防止することが可能となる。
【００２１】
請求項６に記載の発明によれば、遊技部材が遊技盤と駆動装置との間に位置することで、遊技部材の突出部に演出接続部材が引っ掛かってしまうおそれが高いところ、上記のような移動規制部が設けられていれば、演出接続部材が突出部に引っ掛かってしまうことを確実に防止することが可能となる。
【図面の簡単な説明】
【００２２】
【図１】本発明の一実施形態にかかる遊技機の正面図である。
【図２】図１に示した遊技機が備える遊技盤の正面図であり、駆動部が第二の位置に位置している状態を示したものである。
【図３】遊技盤を取り外した状態を示した図であり、駆動部が第一の位置に位置している状態を示したものである。
【図４】遊技盤を取り外した状態を示した図であり、駆動部が第二の位置に位置している状態を示したものである。
【図５】駆動装置およびそれの前方に位置する遊技部材の正面図であり、駆動部が第一の位置に位置している状態を示した図である。
【図６】駆動装置およびそれの前方に位置する遊技部材の背面図であり、駆動部が第一の位置に位置している状態を示した図である。
【図７】駆動装置およびそれの前方に位置する遊技部材の外観図であり、駆動部が第一の位置に位置している状態を示した図である。
【図８】図７とは異なる方向から見た駆動装置およびそれの前方に位置する遊技部材の外観図であり、駆動部が第一の位置に位置している状態を示した図である。
【図９】駆動装置およびそれの前方に位置する遊技部材の正面図であり、駆動部が第一の位置と第二の位置の間に位置している状態を示した図である。
【図１０】駆動装置およびそれの前方に位置する遊技部材の背面図であり、駆動部が第一の位置と第二の位置の間に位置している状態を示した図である。
【図１１】駆動装置およびそれの前方に位置する遊技部材の外観図であり、駆動部が第一の位置と第二の位置の間に位置している状態を示した図である。
【図１２】図１１とは異なる方向から見た駆動装置およびそれの前方に位置する遊技部材の外観図であり、駆動部が第一の位置と第二の位置の間に位置している状態を示した図である。
【図１３】駆動装置およびそれの前方に位置する遊技部材の正面図であり、駆動部が第二の位置に位置している状態を示した図である。
【図１４】駆動装置およびそれの前方に位置する遊技部材の背面図であり、駆動部が第二の位置に位置している状態を示した図である。
【図１５】駆動装置およびそれの前方に位置する遊技部材の外観図であり、駆動部が第二の位置に位置している状態を示した図である。
【図１６】図１５とは異なる方向から見た駆動装置およびそれの前方に位置する遊技部材の外観図であり、駆動部が第二の位置に位置している状態を示した図である。
【図１７】駆動装置の正面図であり、駆動装置が第一の位置に位置している状態を示したものである。
【図１８】駆動装置の正面図であり、駆動装置が第二の位置に位置している状態を示したものである。
【図１９】遊技部材の外観図である。
【図２０】遊技部材の要部を拡大して示した正面図である。
【図２１】遊技制御部を示すブロック図である。
【図２２】遊技部材に移動規制部が設けられていない場合に、演出接続部材が突出部に引っ掛かる様子を示した外観図である。
【発明を実施するための形態】
【００２３】
以下、本発明にかかる実施形態について図面を参照して詳細に説明する。なお、以下の説明において特に明示した場合を除き、単に表（前）側とは遊技機の表側のことであり、単に裏（背面）側とは遊技機１の裏側のことである。また、単に左側、右側、上側、下側とは遊技機１を正面から見た場合の左側、右側、上側、下側のことである。また、単に横方向とは遊技機の横方向（幅方向）のことであり、単に平面方向とは遊技盤１０８の平面方向を指す。
【００２４】
（遊技機の全体構成）
まず、遊技機１の全体構成について簡単に説明する。図１に示されるように、遊技機１は、所定の奥行きを有する額縁形状の機枠１００を備える。この機枠１００には前面枠１０１が取り付けられている。前面枠１０１は、その左側縁が機枠１００に回動可能に支持され、前側に開閉可能である。また、前面枠１０１には、ガラス枠１０２が取り付けられている。ガラス枠１０２は、その左側縁が前面枠１０１に回動可能に支持され、前側に開閉可能である。
【００２５】
ガラス枠１０２の中央の開口部にはガラス板またはプラスチック板などの透明な板が設けられており、遊技者はこの透明な板を通して前側から遊技盤１０８を視認できる。また、ガラス枠１０２の下部には、払い出された遊技球を発射装置に送るまで貯めておく上皿ユニット１０３が設けられている。上皿ユニット１０３には、貯留されている遊技球を下皿ユニット１０５に流下させる上皿スイッチや、貸し出し可能な貸し球を払い出す球貸しスイッチなどが設けられている。また、ガラス枠１０２の上部左右両側には、スピーカ１０４が設けられている。
【００２６】
前面枠１０１の下部には、払い出された遊技球が上皿ユニット１０３に入りきらない場合などに遊技球を貯めることができる下皿ユニット１０５や、遊技球を発射操作するためのタッチスイッチを備える発射ハンドル１０６などが設けられている。下皿ユニット１０５の左側には、表示装置１０９に表示される演出に応じて遊技者が操作を行う遊技スイッチ１０７が設けられている。
【００２７】
図２に示す遊技盤１０８は、ほぼ正方形の合板により成形されており、前面枠１０１に着脱可能に取り付けられている。この遊技盤１０８には、発射装置から発射された遊技球をガイドする金属製の薄板からなる帯状のガイドレール１０８ｂ略円弧形状となるように設けられており、このガイドレール１０８ｂによって遊技領域の外郭の一部が形成されている。遊技盤１０８の遊技領域には、表示装置１０９、始動入賞口１０８４、大入賞口１０８５、アウト口１０８６などが設けられている。
【００２８】
さらに、遊技盤１０８の盤面左下方には、三つの入球口（左から第一の入球口１０８１、第二の入球口１０８２、第三の入球口１０８３）が設けられている。図２から分かるように、最も左寄りの第一の入球口１０８１が最も高い位置に位置し、第二の入球口１０８２は第一の入球口１０８１よりも低く、第三の入球口１０８３よりも高い位置に位置する。つまり、最も中央よりの第三の入球口１０８３が最も低い位置に位置する。
【００２９】
また、遊技盤１０８の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００３０】
さらに、表示装置１０９の周囲（本実施形態では表示装置１０９の左下）には、遊技の装飾効果（演出効果）を高めるための駆動装置３が設けられている。駆動装置３は、表示装置１０９と連動して演出動作を行う。かかる駆動装置３の構成の詳細については後述する。
【００３１】
このような遊技機１では、発射ハンドル１０６の操作により、発射装置から遊技領域に遊技球を発射し、遊技領域を流下する遊技球が、始動入賞口１０８４や大入賞口１０８５などの入賞口に入賞すると、払出制御基板（回路）９５３により所定の数の賞球が払出装置（図示せず）により払い出される。その他、主制御基板（回路）９１による大当たりの抽選方法などは、公知の遊技機の制御方法が適用できるため、説明は省略する。
【００３２】
（遊技機が備える各構成の詳細）
本実施形態にかかる遊技機は、遊技状態に応じて駆動可能な駆動装置３と、遊技の制御を行う遊技制御部９と、遊技球の通路となる遊技部材２と、を備える。
【００３３】
１）駆動装置
駆動装置３は、ベース部材４と、所定の動作を行いかつ電気的な演出を行う演出部５５を有する駆動部５（役物）と、この駆動部５の駆動源と、ベース部材４に設けられる中継基板７と、この中継基板７と演出部５５とを電気的に接続する演出接続部材８と、を有する。この駆動装置３は、遊技部材２と前後方向で対向するように設けられている。
【００３４】
（１−１）ベース部材
ベース部材４は、遊技盤１０８の裏側（前面から見て遊技盤１０８の開口１０８ａの左下位置）に取り付けられた略板状の部材である。したがって、遊技者はベース部材４を視認することはできない。このベース部材４には、大まかに見て横方向に延びる長孔である第一の誘導部４１および第二の誘導部４２が形成されている。
【００３５】
第一の誘導部４１は、ベース部材４の左側中央から右側上方に向かって延びる長孔であり、第二の誘導部４２よりも上方に位置する。この第一の誘導部４１には、駆動部５に設けられた後述する第一の被誘導部５１１が係合される。第一の誘導部４１は、この第一の被誘導部５１１を誘導（案内）するガイド孔である。第一の誘導部４１は、相対的に傾斜が緩く孔の長さが長い緩傾部４１１、および相対的に傾斜が急であり孔の長さが短い急傾部４１２を有する。緩傾部４１１は、ベース部材４の左側中央から右側上方に向かって直線状に延びる部分である。急傾部４１２は、緩傾部４１１の右端からさらに右側上方に向かって直線状に延びる部分である。
【００３６】
第二の誘導部４２は、ベース部材４の左側下方から右側上方に向かって延びる長孔であり、第一の誘導部４１よりも下方に位置する。この第二の誘導部４２には、駆動部５に設けられた後述する第二の被誘導部５１２が係合される。第二の誘導部４２は、この第二の被誘導部５１２を誘導（案内）するガイド孔である。第二の誘導部４２は、垂直方向に近い角度で傾斜した急斜部４２１、略平坦な平坦部４２２、および急斜部４２１に比べて傾斜が緩い（水平方向に近い角度で傾斜した）緩斜部４２３を有する。本実施形態では、第二の誘導部４２は曲線状に構成され、この第二の誘導部４２の緩斜部４２３の傾斜角度は、第一の誘導部４１の緩傾部４１１の傾斜角度と略同じである。
【００３７】
また、ベース部材４の前面側右寄り中央位置には、前方に向かって突出した円柱状の突起である接触部４３が形成されている。この接触部４３は、駆動部５が所定位置に位置する際に後述する連結部材５３が接触する。
【００３８】
（１−２）駆動部
図３〜図１８に示される駆動部５は、ベース部材４に取り付けられた役物であり、駆動源６によりベース部材４に誘導されて所定の動作（演出）を行う。具体的には、駆動部５は、ベース部材４に誘導されて「第一の位置」と「第二の位置」との間を移動する。駆動部５が「第一の位置」に位置している状態とは、駆動部５に設けられた第一の被誘導部５１１および第二の被誘導部５１２がベース部材４の第一の誘導部４１および第二の誘導部４２の左端（始端）に位置している図５〜図８、図１７に示した状態（原位置）のことをいい、「第二の位置」の位置に位置している状態とは、駆動部５に設けられた第一の被誘導部５１１および第二の被誘導部５１２がベース部材４の第一の誘導部４１および第二の誘導部４２の右端（終端）に位置している図１３〜図１６、図１８に示した状態のことをいう。
【００３９】
本実施形態では、「第一の位置」に位置する駆動部５は遊技盤１０８に覆われた状態（遊技者が殆ど視認することができない状態）であるが、「第二の位置」に位置する駆動部５は遊技盤１０８の開口１０８ａから露出するため遊技者に視認可能となる。この駆動部５は、移動部本体５１と、装飾部本体５２１および副装飾体５２２を有する装飾部材５２と、連結部材５３と、を備える。
【００４０】
移動部本体５１は、「第一の位置」と「第二の位置」との間を移動する駆動部５のベースとなる板状の部材であり、ベース部材４の前面側に取り付けられた部分である。移動部本体５１の裏面側には、第一の被誘導部５１１および第二の被誘導部５１２が設けられている。第一の被誘導部５１１および第二の被誘導部５１２は、円柱状の突起であり、それぞれ、第一の誘導部４１および第二の誘導部４２に係合されている。つまり、第一の被誘導部５１１は第一の誘導部４１の形状に沿って、第二の被誘導部５１２は第二の誘導部４２の形状に沿って移動する。
【００４１】
第二の被誘導部５１２には、駆動源６と駆動部５とを繋ぐ第一のリンク部材５１３および第二のリンク部材５１４が接続されている。具体的には、第一のリンク部材５１３は、その一端がベース部材４の右隅の裏面側に回動可能に連結されている。第一のリンク部材５１３の他端には、第二のリンク部材５１４の一端が回動可能に連結されている。第二のリンク部材５１４の他端は、第二の誘導部４２に係合された第二の被誘導部５１２の先端（ベース部材４の裏面側）に回動可能に連結されている。また、第一のリンク部材５１３の一端と他端の間には、貫通した長孔５１３ａが形成されている。この長孔５１３ａには、詳細を後述する回転部材５１５の偏心軸５１５ａが係合されている。
【００４２】
さらに、移動部本体５１の上部には、装飾部材５２の一例として顔を構成する「龍」の首の部分５１７が固定されている。この「龍」の首の部分５１７と、移動部本体５１の間を通って連結部材５３は上方に延びる。この連結部材５３の上端には、副装飾体５２２が機械的に接続されている。
【００４３】
また、移動部本体５１の表側左側縁には、詳細を後述する演出接続部材８が引っ掛けられる引掛部５１８が設けられている。引掛部５１８は、内側に演出接続部材８が通ることのできるような空間（孔）が形成された爪状の部分である。
【００４４】
装飾部材５２は、駆動部５の移動によって実際に遊技を演出する部分である。本実施形態では、「龍」の顔を象った部材を装飾部材５２として採用している。この装飾部材５２は、装飾部本体５２１および副装飾体５２２を有する。本実施形態では、装飾部本体５２１は、「龍」の顔のうち下顎を除く部分であり、副装飾体５２２は、「龍」の下顎部分である。副装飾体５２２は、装飾部本体５２１に対して表示部２１の表示面方向に回動可能となるように取り付けられている。なお、装飾部材５２を「龍」としたのは一例であり、適宜変更可能である。
【００４５】
また、駆動部５は演出部５５を有する。演出部５５は、電気的な演出を行う部材であればどのようなものであってもよい。本実施形態における演出部５５は、装飾部本体５２１に設けられた「龍」の目を構成するＬＥＤランプ５５１を含む構成である。このＬＥＤランプ５５１は、図示されない装飾部材５２の裏面側に配される電線などを介して「龍」の首の部分５１７の下に位置する補助中継基板５５２に電気的に接続されている。
【００４６】
（１−３）駆動源
本実施形態では、駆動部５を動作させる駆動源６としてモータを採用している。このモータの出力軸には、回転部材５１５が固定されている。回転部材５１５には、その回転中心（モータの回転中心）から偏心した位置に偏心軸５１５ａが形成されている。この偏心軸５１５ａは、第一のリンク部材５１３に形成された長孔５１３ａに係合されている。偏心軸５１５ａの直径は、第一のリンク部材５１３に形成された長孔５１３ａの幅よりも小さい。つまり、偏心軸５１５ａは、長孔５１３ａの長手方向に移動可能である。モータは、サブ制御基板（回路）９２に搭載された制御回路によって所定の動作を行うように制御される。
【００４７】
（１−４）中継基板  
中継基板７は、ベース部材４の表側下方（第二の被誘導部５１２よりも下方）に固定されている。かかる固定位置は、「第二の位置」に位置している駆動部５よりも「第一の位置」に位置している駆動部５に近くなるように設定されている。この中継基板７には、第一のコネクタ部７１および第二のコネクタ部７２が実装されている。中継基板７は、第一のコネクタ部７１に接続された信号線によりランプ制御回路９７を介してサブ制御基板９２と電気的に接続されている（図２１参照）。また、中継基板７の第二のコネクタ部７２には、以下で説明する演出接続部材８が接続されている。つまり、中継基板７は、演出接続部材８を介して補助中継基板５５２と電気的に接続されている。サブ制御基板９２（ランプ制御回路９７）からは、中継基板７を介して演出部５５（ＬＥＤランプ５５１）に電気的な信号（電気的なエネルギ（動力）や動作命令等）が送られる。
【００４８】
（１−５）演出接続部材
演出接続部材８は、補助中継基板５５２と中継基板７を電気的に接続するための部材（両端に図示されないコネクタ部が設けられた電線）である。補助中継基板５５２は演出部５５と電気的に接続されているから、演出接続部材８は換言すれば中継基板７と演出部５５とを電気的に接続する部材である。演出接続部材８の一端側は、中継基板７に実装された第二のコネクタ部７２に接続されている。演出接続部材８の他端側は、補助中継基板５５２に実装されたコネクタ部５５２ａに接続されている。補助中継基板５５２と中継基板７との間には移動部本体５１が位置するから、演出接続部材８は移動部本体５１の表側を通るようにして補助中継基板５５２と中継基板７とを繋ぐ。本実施形態では、この補助中継基板５５２と中継基板７とを接続する演出接続部材８は、その途中位置で移動部本体５１の表側に形成された引掛部５１８に引っ掛けられている。なお、引掛部５１８は、演出接続部材８の途中部位が全く動かないように当該部位を移動部本体５１に係止するものではない。すなわち、演出接続部材８は、引掛部５１８の内側に遊挿された状態にある。
【００４９】
このように演出接続部材８は、その一端側が駆動部５に設けられた補助中継基板５５２に接続されている（補助中継基板５５２を介して駆動部５に接続されている）ため、当該一端側は駆動部５の移動に伴って移動する。駆動部５は、「第一の位置」と「第二の位置」との間を移動するから、演出接続部材８の長さはその移動を妨げないような長さに設定されている。上述したように、中継基板７は、「第二の位置」に位置している駆動部５よりも「第一の位置」に位置している駆動部５に近い位置に固定されている。そのため、演出接続部材８と中継基板７との接続部分の位置（すなわち中継基板７に実装された第二のコネクタ部７２の位置）と、演出接続部材８と補助中継基板５５２との接続部分の位置（すなわち補助中継基板５５２に実装されたコネクタ部５５２ａの位置）との距離は、駆動部５が「第一の位置」に位置しているときの方が駆動部５が「第二の位置」に位置しているときよりも小さい。したがって、図１７および図１８を比較すれば分かるように、演出接続部材８は、駆動部５が「第二の位置」に位置しているときよりも、駆動部５が「第一の位置」に位置しているときの方が大きく撓む。ゆえに、駆動部５が「第一の位置」から「第二の位置」に移動すると、その移動により演出接続部材８の撓みが減り、「第二の位置」から「第一の位置」に移動すると、その移動により演出接続部材８の撓みが増える。つまり、駆動部５が移動することで演出接続部材８も移動するため、遊技機１の前後方向に撓んだ軌跡を描くことになる（詳細は後述の動作説明参照）。
【００５０】
２）遊技制御部
図２１に示す遊技制御部９は、遊技機１の裏面側に設けられた、大当たりの抽選などを行う主制御基板（回路）９１、演出の制御などを行うサブ制御基板（回路）９２、表示装置１０９の制御などを行う表示制御基板（回路）９３、賞球数の払出の制御などを行う払出制御基板（回路）９４、モータやソレノイドなどのアクチュエータと接続するための中継回路９５、発射ハンドル１０６（発射装置）を制御する発射制御回路９６、ＬＥＤランプ５５１を含む各種ランプを制御するランプ制御回路９７、スピーカ１０４を制御する音声制御回路９８などの各種基板（回路）を有する。この遊技制御部９は、中継基板７や補助中継基板５５２、演出接続部材８によって演出部５５と電気的に接続されている。本実施形態では、サブ制御基板９２が演出部５５（「龍」の目のＬＥＤランプ５５１）を制御する。
【００５１】
３）遊技部材
図３〜図１６、図１９、図２０に示す遊技部材２は、遊技盤１０８の裏面側、詳しくはベース部材４およびそれに取り付けられた駆動部５（駆動装置３）と遊技盤１０８との間に設けられた部材である。遊技部材２には、上述した遊技盤１０８に形成された入球口１０８１，１０８２，１０８３（図２参照）と連なる遊技球経路２１，２２，２３が形成されている。具体的には、遊技部材２には、それぞれ上下方向に延びる経路である、第一の遊技球経路２１、第二の遊技球経路２２、および第三の遊技球経路２３が、駆動部５の移動方向に対して交差する方向（本実施形態では横方向）に所定の大きさの間隔を開けて形成されている。第一の遊技球経路２１の上端が最も高い位置に位置し、第三の遊技球経路２３の上端が最も低い位置に位置する。第二の遊技球経路２２の上端は、第一の遊技球経路２１の上端と第三の遊技球経路２３の上端との間に位置する。すなわち、第一の遊技球経路２１は右隣に位置する第二の遊技球経路２２よりも上方に突出しており、第二の遊技球経路２２は右隣に位置する第三の遊技球経路２３よりも上方に突出している。この隣の遊技球経路よりも突出した部分を本実施形態では突出部２１１，２２１と称する。このように、各遊技球経路２１，２２，２３は、その上端が中央から左側に向かって上昇するような階段状に並んでいる（右隣の経路よりも上方に突出した形状となる）。換言すれば、遊技球経路は、移動する駆動部５の原位置である「第一の位置」側よりも終端位置である「第二の位置」側の方が高さが低くなるように形成されている。
【００５２】
このような階段状である各遊技球経路２１，２２，２３は、前方が開放しており、その開放した部分は遊技盤１０８で覆われている。そして、各遊技球経路２１，２２，２３の上端は、遊技盤１０８に形成された各入球口１０８１，１０８２，１０８３のちょうど裏面側に位置し、各入球口１０８１，１０８２，１０８３と連なっている。すなわち、第一の遊技球経路２１の上端は第一の入球口１０８１の裏面側に位置し、第二の遊技球経路２２の上端は第二の入球口１０８２の裏面側に位置し、第三の遊技球経路２３の上端は第三の入球口１０８３の裏面側に位置する。したがって、各入球口１０８１，１０８２，１０８３へ入った（入賞した）遊技球は、各遊技球経路２１，２２，２３に入り込む。そして、遊技球は各遊技球経路２１，２２，２３に案内されて下方に落下する。
【００５３】
第一の遊技経路２１および第二の遊技経路２２の下端は、各遊技球経路２１，２２，２３に交差するように形成された合流経路２５に繋がっている。合流経路２５は、右に向かって段々と下るように傾斜しており、その右端は第三の遊技球経路２３に繋がっている。第三の遊技経路２３の下端は、第三の遊技経路２３から真っ直ぐ下方に延びる排出経路２６に繋がっている。排出経路２６の下端（出口）には、各遊技球経路２１，２２，２３に入り込んだ遊技球がまとめて排出される集約口２６１が形成され、この集約口２６１の手前には遊技球センサ２６２が設けられている。各遊技球経路２１，２２，２３に入り込み落下した遊技球は、合流経路２５を経て、排出経路２６に転がり込む。そして、遊技球は、排出経路２６の下方に設けられた遊技球センサ２６２に検出されて（すなわち、入球口に遊技球が入賞したことが検出されて賞球が払い出される）集約口２６１から外部に排出される。これら突出部２１１，２２１を有する遊技部材２は、ベース部材４およびそれに取り付けられた駆動部５と遊技盤１０８との間に設けられるとともに、演出接続部材８が駆動部５の移動によって撓むことで、突出部２１１，２２１の少なくとも一部が演出接続部材８の移動軌跡上に位置する構成を備えている。
【００５４】
このような構成を備える遊技部材２には、移動規制部２７が設けられている。移動規制部２７は、遊技球経路２１，２２，２３の少なくとも一部が、第一の遊技球経路２１と第二の遊技球経路２２の間、および第二の遊技球経路２２と第三の遊技球経路２３の間（以下、かかる遊技球経路同士の間を空間部２４と称する）に張り出すように形成された構造物である。本実施形態では、遊技球経路を構成する遊技盤１０８の面に平行な壁（遊技球経路の裏面を構成する壁）が、空間部２４に張り出すように形成されてなる。つまり、移動規制部２７は、第一の遊技球経路２１、第二の遊技球経路２２、および第三の遊技球経路２３の裏面を空間部２４を介して（空間部２４を跨ぐように）一連に繋げて平面状に形成されたものである。
【００５５】
このように平面状に形成された移動規制部２７は、各遊技球経路２１，２２，２３の上端よりも上方に張り出すように形成されている。具体的には、遊技経路の上端を（最短距離で）繋いだ仮想線Ｓ（図２０参照）と略同一か、それよりも高い位置まで張り出すように形成されている。本実施形態では、移動規制部２７の上側縁は、第一の遊技球経路２１の上端と略同じ高さから第二の遊技球経路２２の上端よりも高い位置を通るように一定の角度で傾斜している。かかる形状を有する移動規制部２７が形成されているから、遊技部材２の裏面側に位置する部材は、遊技経路同士の間の空間部２４に裏面側から入り込むことができない。
【００５６】
以上の構成を備える遊技部材２は、図３〜図１６に示すように、前後方向から見て、ベース部材４の下方側部位と重なるように固定されている。ベース部材４の下方側には、中継基板７が取り付けられているため、前後方向において遊技部材２は中継基板７と重なる。つまり、中継基板７は、遊技部材２（突出部２１１，２２１）の裏面側で固定されている。したがって、中継基板７に接続された演出接続部材８の一端側は、突出部２１１，２２１の裏面側に位置する。これに対し、駆動部５（補助中継基板５５２）に接続された演出接続部材８の他端側は、駆動部５が「第一の位置」に位置しているときには、突出部２１１，２２１の上端（本実施形態では第一の遊技球経路２１が最も高い位置に位置するから第一の遊技球経路２１の上端が突出部の最も高い位置（上端）となる）と略同一か、突出部２１１，２２１の上端よりも低い位置に位置する（図５等参照）。一方、駆動部５が「第二の位置」に位置しているときには、突出部２１１，２２１の上端よりも高い位置に位置する（図１３等参照）。このように、駆動部５がその駆動範囲内の少なくとも一部で遊技部材２に重なるように設定することにより、限られたスペースの中で駆動部５の大きな駆動範囲を確保することができる。
【００５７】
（駆動装置の動作ならびに移動規制部の作用）
以上の構成を備える駆動装置３の動作（駆動部５の動き）とともに、遊技部材２に設けられた移動規制部２７の作用（働き）について、一部上記説明と重複するが以下詳細に説明する。
【００５８】
移動部本体５１の第一の被誘導部５１１および第二の被誘導部５１２が、ベース部材４の第一の誘導部４１および第二の誘導部４２の最も左端（始端）に位置しているとき、駆動部５は「第一の位置」（原位置）に位置する（図５〜図８参照）。なお、駆動部５が「第一の位置」に位置することは、ベース部材４に設けられたセンサ４４（フォトセンサ）によって検出される。具体的には、駆動部５が「第一の位置」に位置しているとき、センサ４４がその検出範囲内に入り込んだ第一のリンク部材５１３に設けられた突起である被検出部５１３ｂを検出する。
【００５９】
この状態からモータの出力軸が回転すると、その出力軸に連結された回転部材５１５が回転する。回転部材５１５が回転すると、その回転中心軸を中心として回転部材５１５の偏心軸５１５ａが移動する（円運動する）。偏心軸５１５ａは、第一のリンク部材５１３の長孔５１３ａに係合されているから、偏心軸５１５ａが移動することにより、第一のリンク部材５１３はその一端を中心として回動する（偏心軸５１５ａが第一のリンク部材５１３を起立させる）。このように第一のリンク部材５１３が回動すると、偏心軸５１５ａが長孔５１３ａ内を移動し、その他端は上方（裏面側から見て左上方）に移動する。第一のリンク部材５１３には、第二のリンク部材５１４の一端が回動可能に連結されているから、第一のリンク部材５１３とともに第二のリンク部材５１４が上方に移動する。具体的には、第二のリンク部材５１４の他端が上方に移動する。この第二のリンク部材５１４の他端には、移動部本体５１に設けられるとともにベース部材４の第二の誘導部４２に摺動可能に係合された第二の被誘導部５１２が接続されている。つまり、移動部本体５１は、第二の被誘導部５１２が第二の誘導部４２に誘導（案内）される所定の経路を辿って移動する。また、この移動部本体５１には、第一の誘導部４１に摺動可能に係合された第一の被誘導部５１１が設けられている。したがって、移動部本体５１は、その第一の被誘導部５１１が第一の誘導部４１に摺動可能に係合した状態、および、第二の被誘導部５１２が第二の誘導部４２に摺動可能に係合した状態を保ちつつ、「第二の位置」に向かって移動する。
【００６０】
駆動部５が「第一の位置」に位置している状態においては、第一の被誘導部５１１は第一の誘導部４１の緩傾部４１１に摺動可能に係合し、第二の被誘導部５１２は第二の誘導部４２の急斜部４２１に摺動可能に係合している。したがって、駆動部５が「第一の位置」の位置から移動を開始すると、相対的に傾斜が緩い第一の誘導部４１の緩傾部４１１に摺動可能に係合している第一の被誘導部５１１の方が、相対的に傾斜が急な第二の誘導部４２の急斜部４２１に摺動可能に係合している第二の被誘導部５１２よりも先に右側に移動していく。したがって、この区間においては、移動部本体５１に接続された装飾部材５２が、段々と右側に倒れるように（「龍」の顔が段々と横向きになるように）駆動部５が移動する。
【００６１】
「第一の位置」から駆動部５が所定距離移動すると、第二の被誘導部５１２が第二の誘導部４２の平坦部４２２に摺動可能に係合した状態となる（図９〜図１２参照）。第一の被誘導部５１１は、第一の誘導部４１の緩傾部４１１に係合したままである。この状態においては、相対的に傾斜が緩い（傾斜の無い）第二の誘導部４２の平坦部４２２に摺動可能に係合している第二の被誘導部５１２の方が、相対的に傾斜が急な第一の誘導部４１の緩傾部４１１に係合している第一の被誘導部５１１よりも先に右側に移動していく。したがって、この区間においては、移動部本体５１に接続された装飾部材５２が、段々と左側に起き上がるように（「龍」の顔が段々と起き上がるように）駆動部５が移動する。
【００６２】
さらに駆動部５が所定距離移動すると、第二の被誘導部５１２が第二の誘導部４２の緩斜部４２３に摺動可能に係合した状態となる。第一の被誘導部５１１は、第一の誘導部４１の緩傾部４１１に係合したままである。上述したように、第一の誘導部４１の緩傾部４１１と、第二の誘導部４２の緩斜部４２３の傾斜角度は略同一である。したがって、この区間においては、移動部本体５１に接続された装飾部材５２が、そのままの角度を保った状態で（「龍」の顔の角度を変化させずに）駆動部５が移動（平行移動）する。
【００６３】
そして、さらに駆動部５が所定距離移動すると、第一の被誘導部５１１が第一の誘導部４１の急傾部４１２に係合しようとする。このとき、駆動部５の連結部材５３がベース部材４に設けられた接触部４３に接触する。このまま駆動部５が「第二の位置」に向かって移動すると、連結部材５３が接触部４３に押されて回動する。この連結部材５３が回動すると、連結部材５３に機械的に接続された副装飾体５２２が回動する（この連結部材５３と副装飾体５２２の接続構造は省略）。つまり、駆動部５が「第二の位置」に近づくに従い、段々と「龍」の口が開いていく。このようにして、駆動部５が「第二の位置」に到達する（図１３〜図１６参照）。
【００６４】
このようにして駆動部５は、第一の誘導部４１および第二の誘導部４２に案内されて「第一の位置」から「第二の位置」に移動する。大まかに見れば、ベース部材４の左側からベース部材４の右側に向かって横方向に移動する。演出接続部材８の一端側（中継基板７に実装された第二のコネクタ部７２）と他端側（補助中継基板５５２に実装されたコネクタ部５５２ａ）の距離は、駆動部５が「第二の位置」に位置するときの方が「第一の位置」に位置するときよりも大きいから、演出接続部材８の撓みの大きさは駆動部５が「第一の位置」から「第二の位置」に移動することによって小さくなる。なお、この撓みの大きさは、駆動部５が「第一の位置」から「第二の位置」に移動するにしたがって段々と小さくなるように設定してもよいし、駆動部５の移動途中で撓みが一旦増えるものであってもよい。本実施形態では、駆動部５が「第一の位置」に位置する際、突出部２１１，２２１の上端と略同じかそれよりも張り出す移動規制部２７が形成されているため、演出接続部材８は移動規制部２７よりも低い位置に位置することで演出接続部材８が移動規制部２７の裏面に当接し、遊技部材２の空間部２４に裏面側から入り込むおそれはない。
【００６５】
「第二の位置」まで移動させた駆動部５を原位置に戻す（「第一の位置」に向けて移動させる）際には、駆動部５を「第一の位置」から「第二の位置」に移動させた場合の回転方向と逆にモータを回転させればよい。かかる方向にモータを回転させると、まず、連結部材５３が接触部４３に押された状態が解消され、付勢部材５４の付勢力により副装飾体５２２が回動し、「龍」の口が閉じる。
【００６６】
そしてさらにモータを回転させていけば、駆動部５に設けられた第一の被誘導部５１１および第二の被誘導部５１２が、それぞれ、ベース部材４に形成された第一の誘導部４１および第二の誘導部４２に誘導されて駆動部５が「第一の位置」まで戻る。かかる経路における駆動部５（装飾部材５２）の動きは、駆動部５を「第一の位置」から「第二の位置」に移動させる場合と逆の動きとなる。
【００６７】
このようにして駆動部５は第一の誘導部４１および第二の誘導部４２に案内されて「第二の位置」から「第一の位置」に移動する。大まかに見れば、ベース部材４の右側からベース部材４の左側に向かって横方向に移動する。演出接続部材８の一端側（中継基板７に実装された第二のコネクタ部７２）と他端側（補助中継基板５５２に実装されたコネクタ部５５２ａ）の距離は、駆動部５が「第一の位置」に位置するときの方が「第二の位置」に位置するときよりも小さいから、演出接続部材８の撓みの大きさは駆動部５が「第二の位置」から「第一の位置」に移動することによって大きくなる。なお、この撓みの大きさは、駆動部５が「第二の位置」から「第一の位置」に移動するにしたがって段々と大きくなるように設定してもよいし、駆動部５の移動途中で撓みが一旦減少するものであってもよい。
【００６８】
また、駆動部５が「第二の位置」から「第一の位置」に移動することで、補助中継基板５５２を介して駆動部５に接続された演出接続部材８の他端側は、突出部２１１，２２１の上端（第一の遊技球経路２１の上端）よりも高い位置に位置した状態から、突出部２１１，２２１の上端と略同一あるいは突出部２１１，２２１の上端よりも低い位置に位置した状態に変化する。このように、演出接続部材８は、その他端側が突出部２１１，２２１の上端よりも高い位置から突出部２１１，２２１の上端と同じかそれよりも低い位置に移動し、それとともに撓みが大きくなるようになっている。
【００６９】
そのため、駆動部５が「第二の位置」から「第一の位置」に移動する際、このように変位する演出接続部材８が遊技部材２の突出部２１１，２２１に引っ掛かってしまうおそれがある（遊技球経路同士の間の空間部２４に入り込むおそれがある）ところ、本実施形態では突出部２１１，２２１の上端と略同じかそれよりも上方に張り出す移動規制部２７が形成されているためそのおそれはない。例えば、図２２に参考として示すように、遊技部材２に移動規制部２７が形成されていないとした場合、駆動部５が「第二の位置」から「第一の位置」に移動しようとすると、その移動によって撓みが大きくなる演出接続部材８は、右隣の第二の遊技球経路２２よりも上方に突出した第一の遊技球経路２１によって構成される突出部２１１や、右隣の第三の遊技球経路２３よりも上方に突出した第二の遊技球経路２２によって構成される突出部２２１に引っ掛かるおそれがある。しかし、本実施形態では、遊技部材２には移動規制部２７が形成されているため、駆動部５が「第二の位置」から「第一の位置」に移動する際における演出接続部材８の移動軌跡（移動位置）が、移動規制部２７に当接することで、突出部２１１，２２１に当接しないように規制される。
【００７０】
（本実施形態の主な効果）
以上説明した本発明にかかる遊技機１によれば、次のような効果が奏される。本実施形態では、駆動部５に接続された演出接続部材８が、突出部２１１，２２１に当接しないようにその移動位置を規制する移動規制部２７が遊技部材２に設けられているから、駆動部５が「第一の位置」と「第二の位置」の間を移動する際に、演出接続部材８が遊技部材２の突出部２１１，２２１に当接すること（演出接続部材８が突出部２１１，２２１に引っ掛かってしまうこと）による演出接続部材８の断線などを防止することができる。
【００７１】
具体的には、遊技球経路同士の間の空間部２４が、遊技球経路２１，２２，２３の一部が張り出して構成される移動規制部２７によって埋められた状態となるから、演出接続部材８が空間部２４に入り込むことによって遊技球経路２１，２２，２３に引っ掛かってしまうことなどが防止される。
【００７２】
そして、この移動規制部２７は、複数の遊技球経路２１，２２，２３の裏面を一連に繋げて平面状に構成したものであるため、構造が簡単である。
【００７３】
また、遊技球経路２１，２２，２３は、「第一の位置」側に位置する第一の遊技球経路２１から「第二の位置」側に位置する第三の遊技球経路２３にかけて段々と低くなるような階段状に形成されているのに対して、駆動部５は逆に段々と高くなるように移動してから遊技部材２に対して交差するように高い位置から低い位置に移動するため、駆動部５が「第二の位置」から「第一の位置」に移動する際に演出接続部材８が引っ掛かりやすい構造であるが、本実施形態では、入球口１０８１，１０８２，１０８３の高さの異なる複数の遊技球経路２１，２２，２３の上端を繋いだ仮想線Ｓと略同一あるいはそれよりも高い位置まで張り出すように移動規制部２７が形成されているから、当該階段状に形成される遊技部材２（突出部２１１，２２１）に演出接続部材８が引っ掛かることを確実に防止することができる。
【００７４】
また、本実施形態では、限られたスペースの中で駆動部５の大きな駆動範囲を確保するため、駆動部５が「第一の位置」に位置しているときに演出接続部材８の他端側を突出部２１１，２２１の上端と略同一あるいは突出部２１１，２２１の上端よりも低い位置に位置させ、駆動部５が「第二の位置」に位置しているときに演出接続部材８の他端側を突出部２１１，２２１の上端よりも高い位置に位置させるように設定している。それゆえ、「第二の位置」から「第一の位置」に移動する際、演出接続部材８は突出部２１１，２２１の上端よりも高い位置から低い位置に移動するため、突出部２１１，２２１に引っ掛かってしまうおそれが高いが、移動規制部２７によって駆動部５が「第一の位置」に位置している際は遊技部材２の背面側から空間部２４に入り込むことを防止するとともに、「第二の位置」から「第一の位置」に移動する際に演出接続部材８が突出部２１１，２２１に引っ掛かってしまうことが確実に防止される。
【００７５】
また、中継基板７が「第二の位置」に位置している駆動部５よりも「第一の位置」に位置している駆動部５の近くに設けられるから、駆動部５が「第一の位置」に位置するときに演出接続部材８が相対的に大きく撓む構成となり、駆動部５が「第二の位置」に位置するときにおける演出接続部材８の撓みを減らすことができ、「第一の位置」から「第二の位置」に移動する際に撓みが小さくなることで突出部２１１，２２１に引っ掛かることが防止される。
【００７６】
以上、本発明の実施の形態について詳細に説明したが、本発明は上記実施の形態に何ら限定されるものではなく、本発明の要旨を逸脱しない範囲で種々の改変が可能である。
【００７７】
例えば、上記実施形態では、駆動部５は、モータを駆動源６として第一の誘導部４１および第二の誘導部４２に案内されて「第一の位置」から「第二の位置」に移動することを説明したが、かかる構成はあくまで一例である。すなわち、駆動部５が上述した条件を満たす「第一の位置」と「第二の位置」との間を移動可能な構成であれば、その駆動源や駆動機構は特に限定されない。また、上記実施形態の遊技部材２には遊技球経路２１，２２，２３が形成されているが、演出接続部材８の移動軌跡上に位置する部材であれば特に限定されない。
【符号の説明】
【００７８】
１                遊技機
２                遊技部材
２１              第一の遊技球経路
２２              第二の遊技球経路
２１１，２２１    突出部
２４              空間部
２６１            集約口
２７              移動規制部
３                駆動装置
４                ベース部材
４１              第一の誘導部
４２              第二の誘導部
５                駆動部
５５              演出部
５５１            ＬＥＤランプ
６                駆動源
７                中継基板
８                演出接続部材  
９                遊技制御部
【図１】
0005874069.tif 000002
【図２】
0005874069.tif 000003
【図３】
0005874069.tif 000004
【図４】
0005874069.tif 000005
【図５】
0005874069.tif 000006
【図６】
0005874069.tif 000007
【図７】
0005874069.tif 000008
【図８】
0005874069.tif 000009
【図９】
0005874069.tif 000010
【図１０】
0005874069.tif 000011
【図１１】
0005874069.tif 000012
【図１２】
0005874069.tif 000013
【図１３】
0005874069.tif 000014
【図１４】
0005874069.tif 000015
【図１５】
0005874069.tif 000016
【図１６】
0005874069.tif 000017
【図１７】
0005874069.tif 000018
【図１８】
0005874069.tif 000019
【図１９】
0005874069.tif 000020
【図２０】
0005874069.tif 000021
【図２１】
0005874069.tif 000022
【図２２】
0005874069.tif 000023